(57)【特許請求の範囲】
【請求項１】
人体の上半身を疑似形成したボディ本体に自在に駆動する腕体を形成するにあたり、
前記ボディ本体の両肩間に埋設された中空骨材と、
該中空骨材の両端開口部に着脱自在に設けられた連結金具と、
該連結金具に連結されかつ腕を垂直面内の左右方向に回動するためのガイド部を有しかつその回動角度を任意の位置にて固定する掛止突起を備えた回動角度固定部材が設けられた回動角度調整金具と、
該回動角度調整金具のガイド部にガイドされつつ腕を垂直面内の左右方向に回動しかつ前記回動角度固定金具に設けれた回動角度固定部材の掛止突起により回動角度を任意の位置にて固定する複数の掛止凹部を有する左右方向回動板と、
該左右方向回動板に連結されかつ腕を水平方向に回動するための軸受と、
該軸受を介して水平方向に回動自在に設けられかつ腕を着脱自在に連結する連結軸が固定され更に該連結軸を介して垂直面内の前後方向に回動する腕の回動角度を掛止突起にて固定する回動角度固定部材が設けられた水平方向回動金具と、
前記回動角度固定部材の掛止突起により腕が垂直面内の前後方向に回動する角度を任意の位置にて固定するための複数の掛止凹部を有しかつ腕側に固定された前後方向回動座板と、
前記水平方向回動金具に固定された連結軸に対して腕を着脱自在にするクリップ形連結金具と、
前記ボディ本体の両肩部に埋設されかつ前記角度調整金具及び左右方向回動板を支持する埋込固定具と
を備えた人間の腕、肩の動作に類似した回動自在な連結機構を設けたことを特徴とするボディマネキンの自在腕連結機構。
【請求項２】
前記回動角度固定部材は板ばねの面に掛止突起を立設して成り、該板ばねの付勢により反り返りつつ該掛止突起を対応する掛止凹部に係脱することを特徴とする請求項１記載のボディマネキンの自在腕連結機構。
【発明の詳細な説明】
【０００１】
【発明の属する技術分野】
本発明は紳士服や婦人服等を陳列するするためのボディマネキンの自在腕連結機構に関し、特に人間の腕、肩の動作に類似した行動が可能なボディ本体と腕との連結機構に関する。
【０００２】
【従来の技術】
従来から、デパート、スーパーあるいは服飾店にあっては、紳士服や婦人服等の洋服、コート、セーター類の衣類を陳列するために、ボディマネキンを使用して商品を立体的に展示し、購買意欲を高めるに使用されている。従って、ボディマネキンに腕が装填されていると、展示した商品によりファツション性をが高めることができる。ボディ本体に対して腕が人の腕と同様に左右前後に回動できることが望まれている。このためボディ本体と腕の連結部に各種回動可能な連結機構が既に用いられている。
【０００３】
例えば、従来のボディマネキンは、腕部がボディ本体の肩部に対して軸中心に前後方向又は左右方向のいずれか一方向に回動し得る連結機構、あるいは、腕を前後左右の全方位に回動し得る球面軸受から成る連結機構等が用いられていることが公知である。
【０００４】
【発明が解決しようとする課題】
しかしながら、前記従来の前後方向又は左右方向のいずれか一方向に回動する機構では回動の方向が制限されるので要望を満足しえないものである。また球面軸受を用いたものは全方位に回動できるものの、回動し得る角度範囲が狭いという問題があった。
【０００５】
よって本発明は、前記従来の問題点に鑑みてなされたものであり、ボディ本体に対して腕が着脱自在でありかつ全方位にしかも広範囲に回動することができるボディマネキンの自在腕連結機構の提供を目的とする。
【０００６】
【課題を解決するための手段】
上記目的を達成するため、本発明に係る請求項１のボディマネキンの自在腕連結機構は、人体の上半身を疑似形成したボディ本体に自在に駆動する腕体を形成するにあたり、前記ボディ本体の両肩間に埋設された中空骨材と、該中空骨材の両端開口部に着脱自在に設けられた連結金具と、該連結金具に連結されかつ腕を垂直面内の左右方向に回動するためのガイド部を有しかつその回動角度を任意の位置にて固定する掛止突起を備えた回動角度固定部材が設けられた回動角度調整金具と、該回動角度調整金具のガイド部にガイドされつつ腕を垂直面内の左右方向に回動しかつ前記回動角度固定金具に設けれた回動角度固定部材の掛止突起により回動角度を任意の位置にて固定する複数の掛止凹部を有する左右方向回動板と、該左右方向回動板に連結されかつ腕を水平方向に回動するための軸受と、軸受を介して水平方向に回動自在に設けられかつ腕を着脱自在に連結する連結軸が固定され更に該連結軸を介して垂直面内の前後方向に回動する腕の回動角度を掛止突起にて固定する回動角度固定部材が設けられた水平方向回動金具と、前記回動角度固定部材の掛止突起により腕が垂直面内の前後方向に回動する角度を任意の位置にて固定するための複数の掛止凹部を有しかつ腕側に固定された前後方向回動座板と、前記水平方向回動金具に固定された連結軸に対して腕を着脱自在にするクリップ形連結金具と、前記ボディ本体の両肩部に埋設されかつ前記角度調整金具及び左右方向回動板を支持する埋込固定具とを備えた人間の腕、肩の動作に類似した回動自在な連結機構を設けたことを特徴とする。
【０００７】
請求項２は、前記回動角度固定部材は板ばねの面に掛止突起を立設して成り、該板ばねの付勢により反り返りつつ該掛止突起を対応する掛止凹部に係脱することを特徴とする請求項１記載のボディマネキンの自在腕連結機構である。
【０００８】
請求項１によれば、角度調整金具及び左右方向回動板を介して垂直面内を左右方向に広範囲に回動することができ、また軸受及び水平方向回動金具を介して水平面内を前後方向に広範囲に回動することができ、また連結軸を介して垂直面内の前後方向に３６０度の範囲に回動することができる。これにより人間の腕、肩の動作に類似した全方位における広範囲に回動することが可能となる。
【０００９】
請求項２によれば、板ばねの弾性力にて反り返りつつ掛止突起を掛止凹部に係脱することができるので腕の回動を任意の位置にて停止するだけでその回動位置が自動的に固定される。
【００１０】
【発明の実施の形態】
以下、本発明の実施の形態を図面に基づいて説明する。
図１から図１５は本発明の実施の形態に係り、図１（ａ）はボディマネキンの自在腕連結機構の構成を示す正面図、図１（ｂ）は同上面図、図２はボディ本体と腕を示す図、図３はボディ本体に内蔵する中空骨材の斜視図、図４は連結金具の斜視図、図５は角度調整金具の斜視図、図６は左右方向回動板の斜視図、図７（ａ）は角度調整金具の正面図、図７（ｂ）は角度調整金具に左右方向回動板を組み込んだ上面図、図８（ａ）は軸受の斜視図、図８（ｂ）は水平方向回動金具を示す斜視図、図８（ｃ）は連結軸の斜視図、図８（ｄ）は角度調整部材の斜視図、図９は水平方向回動金具に連結軸及び角度調整部材を組み込んだ側面図、図１０（ａ）は前後方向回動座板を示す斜視図、図１０（ｂ）は前後方向回動座板の取付を示す側面図、図１１はクリップ形連結金具の斜視図、図１２は腕に前後方向回動座板及びクリップ形連結金具を組み込んだ正面図、図１３  （ａ）は埋め込み固定具の本体を示す斜視図、図１３（ｂ）は埋め込み固定具の蓋体を示す斜視図、図１４は肩部に固定した埋め込み固定具の正面図、図１５は同側面図である。
【００１１】
本発明に係わるボディマネキンは、発泡スチロールなどの合成樹脂発泡体、或いは厚紙を肩取りしたものを基体として、人体の疑似体型に形成されている。図１及び図２に示すように、ボディ本体１と腕２とが人間の腕、肩の動作に類似する回動自在な連結機構にて連結されている。
【００１２】
この連結機構は、ボディ本体１の肩部に構成するための強度部材として肩の部分に、図３に示す断面角形で両端が開口した鋼材からなる中空骨材３が、図２に示すように、ボディ本体１の両肩４，４間に埋設される。
【００１３】
この中空骨材３の両端開口部３ａ，３ｂには、図４に示すように、連結金具５が固定されている。この連結金具５は、図４に示すように、傾斜面６を介して相互間が摺動し合うことにより外幅Ａが拡縮可能な一対の傾斜ブロック７ａ，７ｂと、その一方のブロック７ａに固定された連結片８とから成る。中空骨材３の両端開口部３ａ，３ｂをそれぞれの内部に傾斜ブロック７ａ，７ｂを挿入してボルト９により傾斜面６を摺動することにより、外幅Ａが拡縮されて中空骨材３の内面に着脱可能となるものである。
【００１４】
角度調整金具１０は、図５及び図７（ａ），（ｂ）に示すように、平行な２枚の鋼板１０ａ及び１０ｂにて構成され、鋼板１０ａ及び１０ｂの相互間には、図６に示すように、左右方向回動板１２を摺動自在に挟み込んでガイドするガイド部１３が形成されている。そして後方は上下に穿設されたボルト穴１４と円弧状の取付角度調整穴１５が前記連結金具５の連結片８に穿設されたボルト穴１６ａ，１６ｂに対してネジ１１ａ及びナット１１ｂにより固定されている。また、前方の上部には軸穴２０が設けられおり、この穴２０は図６に示す左右方向回動板１２をガイド部１３に挿入して穴２８を介して軸１７及びナット１８により回動自在に連結される。更に下部には左右方向回動板１２の回動角度を固定する角度固定部材２２が固定されている。
【００１５】
この角度固定部材２２は板バネ２４の両端の面に掛止突起２５が立設されたもので、中央のボルト穴２６と角度調整金具１０側の穴２３とによりネジ２６ａにて固定されている。そして掛止突起２５は角度調整金具１０の一方の鋼板１０ｂに穿設された２個の穴２７内を摺動自在に貫通してガイド部１３内に突出している。
【００１６】
左右方向回動板１２は、前記のとおり上端の回動用軸穴２８を介して角度調整金具１０先端に回動自在に連結されている。そして軸穴２８と同心の円周上に複数の掛止凹部３１，３１…が設けられている。この掛止凹部３１は例えば本発明実施の形態では軸穴２８を中心にした略９０度の範囲に１７箇の掛止凹部３１…が等配されており、それぞれの位置で係止させて回動角度を固定することができるようになっている。この構成の左右方向回動板１２は、回動させることにより前記角度調整部材２２の板バネ２４が反り上がりを繰り返して掛止凹部３１に係脱しつつ、回動を停止した位置にて係止が一時的に確定され、回動角度が自動的に固定されるものである。
【００１７】
また、左右方向回動板１２の回動用軸穴２８の下方には２個の穴３２が設けられており、図８（ａ）に示すように、軸受３３がすり割部３４を介して嵌合されかつ２本のネジ３５と２箇所のネジ穴３６にて固定されている。
【００１８】
更にこの軸受３３には縦方向に軸穴３７が貫通しており、この軸穴３７に対して、図８（ｂ）に示すように、コの字形の水平方向回動金具３８が上下の穴２９ａ，２９ｂを介して軸３９及びナット４０にて回動自在に連結されている。
【００１９】
更に、コの字形に形成された水平方向回動金具３８の垂直片４１における中央に円の一部が平行に形成された嵌合穴４２が開口している。この嵌合穴４２に、図８（ｃ）に示すように、腕２を連結する連結軸４３の後端における円の一部に平行面が形成された部分が、嵌合され穴軸間が平行部を介して回り止めされている。
【００２０】
一方、垂直片４１の内面に、図８（ｄ）に示すように、角度固定部材４４の板バネ４７が当てられ、板バネ４７の中央の穴４５を介してネジ４６により連結軸４３の軸心に締め付けられることにより、図９に示すように、垂直片４１を連結軸４３と角度固定部材４４とにより挟んだ状態にてが固定される。
【００２１】
なお、この角度固定部材４４は前記角度固定部材２２と同様に板バネ４７の両端の面に掛止突起４８，４８が突設されたものであり、図１及び図９に示すように、掛止突起４８が垂直片４１の２個の穴４９を貫通して外面に突出している。一方、腕２側には図１０（ａ），（ｂ）に示す前後方向回動座板５０及び図１１（ａ），（ｂ）に示すクリップ形連結金具５１が設けられている。
【００２２】
前後方向回動座板５０は中央に前記連結軸４３を挿通する嵌合穴５２が設けられており、４隅に穿設された固定穴５３を介して腕２側に固定されている。
【００２３】
更に嵌合穴５２と同心の円周上に複数の掛止凹部５４が設けられており、この掛止凹部５４は前記水平方向回動金具３８に設けられた角度調整部材４４の掛止突起４８が掛止される。これにより腕２が垂直面内の前後方向に回動した任意の位置にて固定することが可能となる。
【００２４】
クリップ形連結金具５１は、図１１に示すように、左片５５と右片５６とに分割されており、それぞれの上部内側には半円５７ａ，５７ｂが対向形成され、右片５６の縦方向略中央には円形のボス５８が形成され、左片５５にはボス５８に対向する位置に円形の凹部５９が形成されていて、ボス５８と凹部５９とが回動可能に嵌合して一体化されるようになっている。即ちボス部５８を中心にして一般のクリップのように上部を開閉することができるものである。また左片５５の下方にはバネ６０が内向きに突出形成されており、このバネ６０が右片５６の内側に当接することによりバネ６０の付勢にて上部の相互間が常に閉止され、半円５７ａ，５７ｂが円形を形成するように構成されている。
【００２５】
このクリップ形連結金具５１を使用する場合は、下端部相互間をバネ６０の付勢に抗して内側に押圧することにより上部が開くので、図１及び図１２に示すように、連結軸の円周溝３０（図８（ｃ），図９）に挟み込むことが可能となる。これにより腕２をボディ本体側１に対して着脱自在にかつ回動自在に連結することができるものである。
【００２６】
一方、前記ボディ本体１の両肩４の内部には、図１３（ａ），（ｂ）に示すように、埋込固定具６１が埋設されている。そしてこの埋込固定具６１により図１、図１４、図１５に示すように骨材３に連結された角度調整金具１０及び左右方向回動板１２が内包され、支持されている。
【００２７】
この埋込固定具６１は、図１３に示すように、円形の本体６２と蓋体６３とにより構成されている。そして本体６２の外周には埋設を安定させる複数の放射状張出片６４が突設され、また内側には角度調整金具１０の固定座板１９を固定する座面６５が設けられ、本体６２及び蓋体６３には左右方向回動板１２が回動する際に通過する細長い溝６６ａ，６６ｂが設けられ、本体６２と蓋体６３の相互間は４箇所の固定穴６７ａ，６７ｂを介してネジ止めされ一体化されている。
【００２８】
なお、図１３（ｂ）中の符号６８は本体６２の座面６５に角度調整金具１０の固定座板１９を固定する際にドライバーを挿入するためのものである。
【００２９】
以上の構成のボディマネキンの自在腕連結機構は、使用に際して、先ず腕２を紳士服等の袖に通した後、腕側に設けられたクリップ形連結金具５１を介してボディ本体側１に取りつける。この場合、クリップ形連結金具５１は左片５５と右片５６の下部をばねの付勢に抗して相互間が狭まる方向に押圧して上部を開き、ボディ本体１側の連結軸４３の円周溝３０に嵌めて押圧を開放することによりボディ本体１側に円周溝３０を介して回転自在に装着することが可能となる。
【００３０】
これによりボディ本体１に連結された腕２は、左右方向回動板１２を介して垂直面内の左右方向にも回動が可能となる。この場合、腕２を垂直面内の左右方向に回動する角度は角度調整部材２２の掛止突起２５が左右方向回動板１２の掛止凹部３１に係脱しつつ回動して停止した位置にて自動的に固定される。
【００３１】
また、腕２を垂直面内における前後方向の回動する角度は、角度調整部材４４の掛止突起４８が前後方向回動座板５０の掛止凹部５４に係脱しつつ回動を停止した位置にて自動的に固定される。
【００３２】
水平方向の回動角度は、回動角度の固定手段が設けられていなくても水平方向回動金具３８を介して自由自在に回動するだけで任意の位置にて停止しその位置を保つことができる。
【００３３】
【発明の効果】
本発明のボディマネキンの自在腕連結機構によれば、ボディ本体に対して回動自在な連結機構を介して腕を全方位かつ広範囲に回動することが可能となる。また回動した角度は角度固定部材にて自動的に固定され、しかも腕はクリップ形連結金具によりボディ本体に着脱自在であるので紳士服や婦人服等を所望の姿に着せ替えして陳列することが容易になる。更にボディマネキンの自在腕連結機構は発泡スチロールにて形成されているので軽くて扱いやすく、廉価である。
【図面の簡単な説明】
【図１】本発明の実施の形態に係るボディマネキンの自在腕連結機構の構成を示す図。
【図２】ボディ本体と腕を示す図。
【図３】ボディ本体に内蔵する中空骨材の斜視図。
【図４】連結金具の斜視図。
【図５】角度調整金具の斜視図。
【図６】左右方向回動板の斜視図。
【図７】（ａ）は角度調整金具の正面図、（ｂ）は角度調整金具に左右方向回動板を組み込んだ上面図。
【図８】（ａ）は軸受の斜視図、（ｂ）は水平方向回動金具を示す斜視図、（ｃ）は連結軸の斜視図、（ｄ）は角度調整部材の斜視図。
【図９】水平方向回動金具に連結軸及び角度調整部材を組み込んだ側面図。
【図１０】前後方向回動座板を示す斜視図。
【図１１】クリップ形連結金具の斜視図。
【図１２】腕に前後方向回動座板及びクリップ形連結金具を組み込んだ正面図。
【図１３】埋め込み固定具の斜視図。
【図１４】肩部に固定した埋め込み固定具の正面図。
【図１５】同側面図。
【符号の説明】
１…ボディ本体                      ２…腕
３…中空骨材                        ４…肩
５…連結金具                        ６…傾斜面
７…傾斜ブロック                    ８…連結片
９…ボルト                        １０…角度調整金具
１１…ネジ                          １２…左右方向回動板
１３…ガイド部                      １４，１６，２３，２６…ボルト穴
１５…取付角度調整穴                １７…ボルト
１８，４０…ナット                  １９…固定座板
２０，２８，３７…軸穴              ２２，４４…角度固定部材
２４，４７…板バネ                  ２５，４８…掛止突起
２７，２９、３２、４５，４９，６８…穴
３０…円周溝                        ３１，５４…掛止凹部
３３…軸受                          ３４…すり割部
３５，４６…ネジ                    ３６…ネジ穴
３８…水平方向回動金具              ３９…軸
４１…垂直片                        ４２…嵌合穴
４３…連結軸                        ５０…前後方向回動座板
５１…クリップ形連結金具            ５２…嵌合穴
５３，６７…固定穴                  ５５…左片
５６…右片                          ５７…半円
５８…ボス                          ５９…凹部
６０…バネ                          ６１…埋込固定具
６２…本体                          ６３…蓋体
６４…張出片                        ６５…座面
６６…溝
【図１】
0003602829.tif 000002
【図２】
0003602829.tif 000003
【図３】
0003602829.tif 000004
【図４】
0003602829.tif 000005
【図５】
0003602829.tif 000006
【図６】
0003602829.tif 000007
【図７】
0003602829.tif 000008
【図８】
0003602829.tif 000009
【図９】
0003602829.tif 000010
【図１０】
0003602829.tif 000011
【図１１】
0003602829.tif 000012
【図１２】
0003602829.tif 000013
【図１３】
0003602829.tif 000014
【図１４】
0003602829.tif 000015
【図１５】
0003602829.tif 000016